(57)【要約】【課題】車両を所有する業者に負担を与えることなく、比較的簡易な手法で、顧客の利便および業者の利便を図る。【解決手段】予約管理サーバ１２は、店舗の所在地を含む情報を、店舗を特定する加盟店ＩＤと関連付けて記憶し、顧客の住所を含む情報を、顧客を特定するユーザＩＤと関連付けて記憶する顧客ＤＢ３２と、運転代行業者の車両の時間情報を含む予約状況に関する情報を記憶する業者ＤＢ３４と、顧客からの加盟店ＩＤおよびユーザＩＤの入力に応答して、出発地および終着地を特定し、これらから走行距離や所要時間を推定し、業者ＤＢ３４を検索して、車両の待ち時間を含む情報を顧客に提示する空車／配車管理部２８と、顧客からの選択に応答して所定の車両の配車を依頼する発注処理部３０とを備える。空車／配車管理部２８は、配車依頼された車両について、所要時間に基づき、時間情報を更新する。【選択図】    図２
2004272833.tif 000002
【特許請求の範囲】
【請求項１】
運転代行業者の車両の予約を管理するシステムであって、
店舗の所在地を含む種々の情報を、前記店舗を特定する加盟店ＩＤと関連付けて記憶する店舗情報記憶手段と、
顧客の住所を含む種々の情報を、当該顧客を特定するユーザＩＤと関連付けて記憶する顧客情報記憶手段と、
運転代行業者の車両の時間情報を含む予約状況に関する種々の情報を記憶する予約管理情報記憶手段と、
顧客からの加盟店ＩＤおよびユーザＩＤの入力に応答して、出発地および終着地を特定して、これらに基づき、走行距離および所要時間を推定するとともに、前記予約管理情報記憶手段を検索して、車両の待ち時間を含む情報を、前記顧客に提示する演算手段と、
前記顧客からの選択に応答して運転代行業者の所定の車両の配車を依頼する配車依頼手段とを備え、
前記演算手段が、配車依頼された車両について、前記所要時間に基づき、前記時間情報を更新するように構成されたことを特徴とする予約管理システム。
【請求項２】
前記時間情報が、当該車両の配車可能時刻であり、
前記演算手段が、前記所要時間を、当該車両の配車可能時刻に加えることで、新たな配車可能時刻を更新するように構成されたことを特徴とする請求項１に記載の予約管理システム。
【請求項３】
前記演算手段が、運行代行業者からの、ある車両の運行の完了の通知に応答して、前記予約管理情報記憶手段における当該車両に関する予約状況を更新するように構成されたことを特徴とする請求項１または２に記載の予約管理システム。
【請求項４】
前記演算手段が、前記配車依頼手段による車両の配車依頼に対する前記運転代行業者からの応答があった場合に、当該予約が確認されたことを示す状態を与えるよう、前記予約管理情報記憶手段を更新することを特徴とする請求項１ないし３の何れか一項に記載の予約管理システム。
【請求項５】
前記演算手段が、ある車両について既になされている予約が存在する場合に、当該予約における終着地と、前記顧客の現在地とに基づく走行距離および所要時間を推定し、当該所要時間にしたがって、前記配車可能時刻を調整するように構成されたことを特徴とする請求項２に記載の予約管理システム。
【請求項６】
店舗の所在地を含む種々の情報を、前記店舗を特定する加盟店ＩＤと関連付けて記憶する店舗情報記憶手段と、顧客の住所を含む種々の情報を、当該顧客を特定するユーザＩＤと関連付けて記憶する顧客情報記憶手段と、運転代行業者の車両の時間情報を含む予約状況に関する種々の情報を記憶する予約管理情報記憶手段とを備えた、運転代行業者の車両の予約を管理するシステムにより読み出される予約管理プログラムであって、
顧客からの加盟店ＩＤおよびユーザＩＤの入力に応答して、出発地および終着地を特定するステップと、
前記加盟店ＩＤおよびユーザＩＤに基づき、走行距離および所要時間を推定するとともに、前記予約管理情報記憶手段を検索して、車両の待ち時間を含む情報を、前記顧客に提示するステップと、
前記顧客からの選択に応答して運転代行業者の所定の車両の配車を依頼するステップとを、前記システムに実行させ、
前記推定し、顧客に提示するステップにおいて、
配車依頼された車両について、前記所要時間に基づき、前記時間情報を更新するように、前記システムを作動させることを特徴とする予約管理プログラム。
【請求項７】
前記時間情報が、当該車両の配車可能時刻であり、
前記推定し、顧客に提示するステップにおいて、
前記所要時間を、当該車両の配車可能時刻に加えることで、新たな配車可能時刻を更新するように、前記システムを作動させることを特徴とする請求項６に記載の予約管理プログラム。
【請求項８】
前記推定し、顧客に提示するステップにおいて、
運行代行業者からの、ある車両の運行の完了の通知に応答して、前記予約管理情報記憶手段における当該車両に関する予約状況を更新するように、前記システムを作動させることを特徴とする請求項６または７に記載の予約管理プログラム。
【請求項９】
前記推定し、顧客に提示するステップにおいて、
前記配車依頼手段による車両の配車依頼に対する前記運転代行業者からの応答があった場合に、当該予約が確認されたことを示す状態を与えるよう、前記予約管理情報記憶手段を更新するように、前記システムを作動させることを特徴とする請求項６ないし８の何れか一項に記載の予約管理プログラム。
【請求項１０】
前記推定し、顧客に提示するステップにおいて、
ある車両について既になされている予約が存在する場合に、当該予約における終着地と、前記顧客の現在地とに基づく走行距離および所要時間を推定するステップと、
推定された所要時間にしたがって、前記配車可能時刻を調整するステップとを、前記システムに実行させることを特徴とする請求項７に記載の予約管理プログラム。
【発明の詳細な説明】
【０００１】
【発明の属する技術分野】
本発明は、車両の予約管理システムに関し、より詳細には、運転代行の車両の予約管理システムに関する。
【０００２】
【従来の技術】
従来、タクシー、運転代行など種々の車両の予約に際しては、電話が利用されていた。予約の際に、顧客は、業者に架電して、自分の出発地を通知し、その後、待ち時間を知らせてもらうのが一般的であった。しかしながら、従来、どの程度待ち時間等を事前にしる方法はなく、利用者の利便が図られていなかった。
【０００３】
【発明が解決しようとする課題】
このような問題を考慮して、たとえば、特許文献１には、顧客の現在位置から所定の範囲内に位置する空車を見出し、顧客の現在位置と空車の現在位置とを、情報端末機の画面に表示する技術が提案されている。
【０００４】
【特許文献１】特開２００２−３５２３８８号
上記特許文献１においては、これら現在位置から、予約された空車が顧客位置に到着する予測所定時間を算出して顧客に通知することで、利用者の利便が図られている。
【０００５】
しかしながら、前記特許文献１に示す手法では、携帯端末機の電波を受信した基地局からの情報を、配車システムが取得し、或いは、携帯端末機に、その位置を検出するＧＰＳなどの装置を装着する必要がある。さらに、上記手法では、業者が所有する車両のすべてにその現在位置を検出するＧＰＳなどの装置を装着する必要がある。したがって、その機能を実現するには、電話局からの情報を取得できるようにシステム自体の機能を高め、かつ、車両へのＧＰＳ装備のための多額のコストをかけなければならない。
【０００６】
本発明は、車両を所有する業者に負担を与えることなく、比較的簡易な手法で、顧客の利便および業者の利便を図ることができるシステムを提供することを目的とする。
【０００７】
【課題を解決するための手段】
本発明の目的は、運転代行業者の車両の予約を管理するシステムであって、店舗の所在地を含む種々の情報を、前記店舗を特定する加盟店ＩＤと関連付けて記憶する店舗情報記憶手段と、顧客の住所を含む種々の情報を、当該顧客を特定するユーザＩＤと関連付けて記憶する顧客情報記憶手段と、運転代行業者の車両の時間情報を含む予約状況に関する種々の情報を記憶する予約管理情報記憶手段と、顧客からの加盟店ＩＤおよびユーザＩＤの入力に応答して、出発地および終着地を特定して、これらに基づき、走行距離および所要時間を推定するとともに、前記予約管理情報記憶手段を検索して、車両の待ち時間を含む情報を、前記顧客に提示する演算手段と、前記顧客からの選択に応答して運転代行業者の所定の車両の配車を依頼する配車依頼手段とを備え、前記演算手段が、配車依頼された車両について、前記所要時間に基づき、前記時間情報を更新するように構成されたことを特徴とする予約管理システムにより達成される。
【０００８】
本発明によれば、位置情報を基地局から取得したり、位置を検出する手段を車両や顧客の携帯端末に装備することなく、出発地および終着地の特定や、所要時間の推定が可能であり、比較的シンプルなシステムで、顧客の利便を図ることが可能となる。無論、顧客の要求にしたがって、出発地や終着地を変更できるようにしても良い。
【０００９】
好ましい実施態様においては、前記時間情報が、当該車両の配車可能時刻であり、前記演算手段が、前記所要時間を、当該車両の配車可能時刻に加えることで、新たな配車可能時刻を更新するように構成されている。
また、好ましい実施態様においては、前記演算手段が、運行代行業者からの、ある車両の運行の完了の通知に応答して、前記予約管理情報記憶手段における当該車両に関する予約状況を更新するように構成されている。
【００１０】
別の好ましい実施態様においては、前記演算手段が、前記配車依頼手段による車両の配車依頼に対する前記運転代行業者からの応答があった場合に、当該予約が確認されたことを示す状態を与えるよう、前記予約管理情報記憶手段を更新する。
【００１１】
さらに好ましい実施態様においては、前記演算手段が、ある車両について既になされている予約が存在する場合に、当該予約における終着地と、前記顧客の現在地とに基づく走行距離および所要時間を推定し、当該所要時間にしたがって、前記配車可能時刻を調整するように構成されている。
【００１２】
また、本発明の目的は、店舗の所在地を含む種々の情報を、前記店舗を特定する加盟店ＩＤと関連付けて記憶する店舗情報記憶手段と、顧客の住所を含む種々の情報を、当該顧客を特定するユーザＩＤと関連付けて記憶する顧客情報記憶手段と、運転代行業者の車両の時間情報を含む予約状況に関する種々の情報を記憶する予約管理情報記憶手段とを備えた、運転代行業者の車両の予約を管理するシステムにより読み出される予約管理プログラムであって、顧客からの加盟店ＩＤおよびユーザＩＤの入力に応答して、出発地および終着地を特定するステップと、前記加盟店ＩＤおよびユーザＩＤに基づき、走行距離および所要時間を推定するとともに、前記予約管理情報記憶手段を検索して、車両の待ち時間を含む情報を、前記顧客に提示するステップと、前記顧客からの選択に応答して運転代行業者の所定の車両の配車を依頼するステップとを、前記システムに実行させ、前記推定し、顧客に提示するステップにおいて、配車依頼された車両について、前記所要時間に基づき、前記時間情報を更新するように、前記システムを作動させることを特徴とする予約管理プログラムによっても達成される。
【００１３】
【発明の実施の形態】
以下、添付図面を参照して、本発明の実施の形態について説明する。図１は、本実施の形態にかかるシステムを概略的に示すブロックダイヤグラムである。図１に示すように、本実施の形態にかかるシステム１０においては、インターネット１４に、予約管理サーバ１２が接続されている。
【００１４】
インターネット１４には、ゲートウェイ１８を介して、携帯電話などの携帯端末１６が接続でき、インターネット１４を介して予約管理サーバ１２にアクセスできるようになっている。また、飲食店などの店舗のパーソナルコンピュータ２０や、運転代行業者のコンピュータ２２も、インターネット１４を介して、予約管理サーバ１２にアクセスできるようになっている。
【００１５】
本実施の形態において、予約管理サーバ１２は、携帯端末１６からの要求に応答して、運転代行の予約状況を通知し、また、運転代行を予約するように構成されている。図２は、予約管理サーバ１２の構成をより詳細に示すブロックダイヤグラムである。図２に示すように、予約管理サーバ１２は、インターネット１４との通信を制御する通信インタフェース（Ｉ／Ｆ）２４と、携帯端末の利用者（顧客や飲食店、および、運転代行業者に関する種々の登録処理を実行する登録処理部２６と、運転代行業者ごとに、所有する車両の空車／配車の状況を管理する空車／配車管理部２８と、ユーザからの予約に応答して、運転代行の発注処理を実行する発注処理部３０とを有している。また、予約管理サーバ１２は、顧客および店舗に関する種々の情報を記憶する顧客データベース（ＤＢ）３２と、代行業者に関する種々の情報を記憶する業者ＤＢ３４と、地図および運転代行料金のテーブルを記憶する地図／料金ＤＢ３６とを有している。
【００１６】
このように構成された予約管理サーバ１２を利用した運転代行の予約について以下に説明する。まず、顧客および店舗の登録を簡単に説明する。
図３（ａ）は、一般ユーザである顧客の登録の際の、当該顧客の携帯端末１６の画面遷移の例を示す図、図３（ｂ）は、店舗の登録の際の、店舗のパーソナルコンピュータ２０における画面遷移の例を示す図である。図３（ａ）に示すように、顧客は携帯端末１６を操作して、予約管理サーバ１２のサイトにアクセスし（符号３０１参照）、予約管理サーバ１２から返信された登録画面（符号３０２参照）の入力欄に必要な情報を記入する。次いで、「確認画面へ」というボタンがオンされると、予約管理サーバ１２の登録処理部２６により、ユーザＩＤやパスワードが発行されるとともに、これらに関連付けられて顧客が入力した情報が、顧客ＤＢ３２に記憶される。その後、顧客の携帯端末１６に、ＩＤおよびパスワードが通知される（符号３０３参照）。なお、サイトスティックを携帯端末１６に装着しておけば、キー操作して、ＵＲＬを入力することなく、サイトにアクセスすることが可能である。なお、サイトスティックは、携帯端末１６のコネクタに挿入して使用するもので、内部のメモリに、ＵＲＬやアクセスに必要なコマンドが記憶されている。
【００１７】
店舗の登録の際には、あらかじめ予約管理サーバ１２の運営者から、管理者ＩＤおよびパスワードを取得しておく必要がある。店舗のオペレータは、コンピュータ２０を操作して、あらかじめ取得しておいた管理者ＩＤおよびパスワードを入力し、予約管理サーバ１２による認証を求める（符号３１０参照）。予約管理サーバ１２の登録処理部２６は、入力された管理者ＩＤおよびパスワードを利用して認証を実行し、その後、登録画面（符号３１１参照）をパーソナルコンピュータ２０に送信する。店舗のオペレータが、入力装置を操作して、入力欄に必要な情報を入力した後、「確認画面へ」というボタンをオンすると、予約管理サーバ１２に情報が伝達され、予約管理サーバ１２の登録処理部２６により、加盟店ＩＤが発行され、これが、コンピュータ２０に通知される（符号３１２参照）。
【００１８】
携帯端末１６を利用して、運転代行を予約しようとする顧客は、自己のユーザＩＤおよびパスワードと、上記店舗に発行された加盟店ＩＤとを利用することになる。図４は、顧客が運転代行を予約する際の、携帯端末の画面遷移の例を示す図、図５は、運転代行を予約する際に実行される処理の概略を示すフローチャートである。
【００１９】
顧客が携帯端末１６を操作して、或いは、後述する携帯端末１６に装着されたサイトスティックを利用して、予約管理サーバ１２にアクセスすると（ステップ５０１）、予約管理サーバ１２から、応答画面として、加盟店ＩＤの入力画面が返送される（図４の符号４０１参照）。ここで、顧客は、アクセスしている店舗から、その店舗の加盟店ＩＤを取得して、携帯端末１６を操作して、これを入力する（ステップ５０２）。入力された加盟店ＩＤは、予約管理サーバ１２に伝達され（ステップ５０３）、顧客ＤＢ３２中に記憶された加盟店ＩＤと照合され、次いで、顧客ＤＢ３２から当該加盟店ＩＤを有する店舗に関する情報が取得される（ステップ５０４）。
【００２０】
さらに、予約管理サーバ１２から応答画面として送付されたユーザＩＤおよびパスワードの入力画面（図４の符号４０２参照）の入力欄に、顧客が必要な情報を入力すると（ステップ５０５）、これらユーザＩＤおよびパスワードの情報が予約管理サーバ１２に伝達される（ステップ５０６）。予約管理サーバ１２は、顧客ＤＢ３２中のユーザＩＤおよびパスワードと照合することにより顧客を認証し、その後、顧客ＤＢ３２から、当該顧客に関する情報を取得する（ステップ５０７）。
【００２１】
次いで、予約管理サーバ１２から応答画面として送付された検索条件入力画面（図４の符号４０３参照）。本実施の形態においては、代行業者をキーとして、代行業者のリストを表示する形態、或いは、待ち時間の短い順に代行業者のリストを表示する形態を選択することができる。検索条件が予約管理サーバ１２に与えられると（ステップ５０９）、予約管理サーバ１２は、業者ＤＢ３４を検索して、リストを作成し（ステップ５１０）、これを検索結果として携帯端末１６に返す（ステップ５１１）。ステップ５１０の検索処理については、後に詳述するが、たとえば、代行業者をキーとする場合に、五十音順、割引率の大きい順、或いは、出発地から距離が小さい順で、代行業者のリストを作成すればよい。
【００２２】
顧客は、携帯端末の表示装置の画面上に表示された代行業者のリストを参照して、所望の業者を選択する（ステップ５１２）。選択に関する情報（選択情報）が予約管理サーバ１２に伝達されると（ステップ５１３）、選択された代行業者、出発地および終着地の確認、料金の確認などが終了した後、代行業者に配車の依頼が伝達される（ステップ５１４）。
【００２３】
図６は、配車処理における手順の例を示すフローチャートである。また、図７８は、代行業者ＤＢ３４中の車両管理テーブルの例を示す図である。図７に示すように、代行業者ＤＢ３４の車両管理テーブル７００には、各代行業者が所有する車両ごとに、実車（代行作業中であること）或いは空車の何れかを示す車両の状態、出発地、終着地、空車になる予定の時刻（空車予定時刻）が収容されている（たとえば符号７０１参照）。なお、当該車両に、複数の予約が入っている場合には、当該車両に関して、複数の出発地および終着地が記憶される（符号７０２参照）。
【００２４】
予約管理システム１２の空車／配車管理部２８は、業者ＤＢ３４の車両管理テーブル中、選択された代行業者の車両を参照して、もっとも待ち時間の短い車両、つまり、空車予定時刻が最も早い車両を選択する（ステップ６０１）。無論、その状態が「空車」である車両があれば、それを選択すればよい。
【００２５】
次いで、空車／配車管理部２８は、加盟店ＩＤにて特定される店舗の所在地を、出発地のデフォルトと設定するとともに（ステップ６０２）、ユーザＩＤにて特定される顧客の住所を、終着地のデフォルトとして設定する（ステップ６０３）。この出発地および終着地を含む画面を、携帯端末１６に伝達し、必要に応じて、顧客が変更を加えることも可能である（ステップ６０４）。
【００２６】
出発地および終着地が確定すると、空車／配車管理部２８は、地図／料金ＤＢ３６を参照して、出発地から終着地までの走行距離および所要時間を概算する（ステップ６０５）。また、地図／料金ＤＢ３６中の、距離と料金とを関連付けたテーブルを参照して、必要な費用が算出される（ステップ６０６）。ここでは、代行業者ごとの料金体系および割引が適用される。
【００２７】
このような処理の後、代行業者、出発地、終着地、料金を含む確認画面が生成され、これが、携帯端末１６に送信される（ステップ６０７）。携帯端末１６において、顧客がこの画面を参照して、たとえば、「確認」ボタンをオンすることにより、代行業者への実際の配車依頼（発注）や業者ＤＢ３４の車両管理テーブルの更新処理に進む。
【００２８】
携帯端末１６から「確認」を示すデータが受理されると、予約管理サーバ１２は、発注書を作成する。発注書の作成および発注書にかかるデータの各種ＤＢ３２〜３６への記憶は、発注処理部３０にて実行される。
【００２９】
運転代行業者は、コンピュータ２２にて、予約管理サーバ１２にアクセスして、閲覧画面を参照して発注書を受理することにより、発注にされた車両の配車手続を進めればよい。なお、予約管理サーバ１２が、発注書をメールにてコンピュータ２２に送信するように構成しても良い。
【００３０】
その後、予約管理サーバ１２においては、予約管理テーブルが更新される。図８は、更新処理の例を示すフローチャートである。空車／配車管理部２８は、業者ＤＢ３４中の予約管理テーブル中、配車された車両のレコードを特定する（ステップ８０１）。次いで、配車可能時刻に、先にステップ６０５で算出した、出発地から終着地の所要時間を２倍したものを加算し（ステップ８０２）、加算された時刻を、新たな配車可能時刻として、上記レコードを更新する（ステップ８０３）。
【００３１】
たとえば、ある車両について、配車可能時刻が「２２：１０」で、新たに、所要時間が３０分であるような配車が依頼された場合には、配車可能時刻に６０分を加えた「２３：１０」が、この車両の新たな配車可能時刻となる。
【００３２】
また、予約管理テーブルは、運転代行業者のコンピュータ２２からの指示によっても更新され得る。たとえば、ある車両について、終着地までの到着した場合や到着後、車庫に帰着した場合、当該コンピュータ２２のオペレータが、入力装置を操作して、これを、予約管理サーバ１２に通知することに応答して、予約管理サーバ１２は、図８（ｂ）に示すような処理を実行する。ここでは、当該車両のレコードが特定され（ステップ８１１）、出発地および終着地がクリアされ（複数の出発地および終着地が存在する場合には、最先のものがクリアされ）（ステップ８１２）、当該車両には予約がない状態であれば（つまり、出発地および終着地がなくなった場合には）（ステップ８１３でイエス（Ｙｅｓ））、車両の状態が「空車」に変更される（ステップ８１４）。また、必要に応じて、配車可能時刻が更新されても良い（ステップ８１５）。
【００３３】
次に、ステップ５１０の検索処理についてより詳細に説明する。図８を参照して説明したように、配車依頼があったときや、運転代行業者のコンピュータ２２からの要求にしたがって、予約管理テーブル、特に、車両の状態や配車可能時刻は更新されている。
検索処理においては、図９（ａ）に示すように、空車／配車管理部２８が、予約管理テーブルを参照して、各代行業者の所有する車両のうち、最も配車可能時刻が現在時刻に近いものを特定し（ステップ９０１）、現在時刻から当該車両の配車可能時刻を減算した時間を、当該代行業者の配車待ち時間とする（ステップ９０２）。
【００３４】
さらに、待ち時間を算出するのに、出発地のデフォルト値である、加盟店ＩＤにて特定される店舗の所在地を考慮しても良い。つまり、運転代行を実施中の車両の終着地から店舗の所在地の走行距離を算出し（ステップ９１１）、算出された走行距離から所要時間を推定し（ステップ９１２）、推定された所要時間を用いて、配車可能時刻を調整しても良い（ステップ９１３）。
【００３５】
次に、運転代行業者のコンピュータ２２が予約管理サーバ１２にアクセスすることにより得られる閲覧画面について説明する。図１０は、空車情報の閲覧画面の例を示す図である。この画面においては、代行業者が所有する車両ごとの、車両の状態、出発地、終着地、および、空車までの待ち時間（配車可能時間と現在時刻との差）が表示される。たとえば、運転代行業者のオペレータは、状態更新の欄を操作して、空車になった車両があれば、その車両の状態を「空車」に更新することもできる。また、渋滞などの道路状況により待ち時間に変更が生じた場合にも、時間変更の欄を操作して、待ち時間を変更することも可能である。
【００３６】
図１１は、配車依頼の閲覧画面の例を示す図である。この閲覧画面には、運転代行業者が所有する車両の配車依頼状況がリストの形式で表示される。運転代行業者のオペレータが、コンピュータ２２を操作して、「発注書表示」のボタンをオンすると、発注書が別ウィンドウに表示されるようになっている。発注書には、配車を依頼した顧客、利用された加盟店、出発地、終着地、料金等が含まれる。  オペレータが「発注書表示」のボタンを押すと、その車両に関して「状態」が「未確認」から「確認済み」に変化する。
【００３７】
本実施の形態によれば、顧客は面倒な操作なしに、所望の出発地から終着地までの配車を依頼することができる。また、その際に、所望の条件で、運転代行業者を選択することができる。さらに、本実施の形態によれば、顧客は、配車の待ち時間も適切に知ることができる。運転代行業者においても、車両ごとに配車依頼を受けることができ、また、その待ち時間なども自動的に計算されるため、その負担が著しく軽減される。
【００３８】
本発明は、以上の実施の形態に限定されることなく、特許請求の範囲に記載された発明の範囲内で、種々の変更が可能であり、それらも本発明の範囲内に包含されるものであることは言うまでもない。
たとえば、前記実施の形態においては、出発地のデフォルト値として加盟店の所在地を設定している。しかしながらこれに限定されるものではない。携帯端末がＧＰＳ機能を備えている場合には、これを用いた位置情報を取得し、当該位置を出発地のデフォルト値と設定しても良い。
【００３９】
【発明の効果】
本発明によれば、車両を所有する業者に負担を与えることなく、比較的簡易な手法で、顧客の利便および業者の利便を図ることができるシステムを提供することが可能となる。
【図面の簡単な説明】
【図１】図１は、本実施の形態にかかるシステムを概略的に示すブロックダイヤグラムである。
【図２】図２は、本実施の形態にかかる予約管理サーバの構成をより詳細に示すブロックダイヤグラムである。
【図３】図３は、本発明の実施の形態にかかる登録の際の、携帯端末の画面遷移の例を示す図である。
【図４】図４は、本実施の形態において、顧客が運転代行を予約する際の、携帯端末の画面遷移の例を示す図である。
【図５】図５は、本実施の形態において、運転代行を予約する際に実行される処理の概略を示すフローチャートである。
【図６】図６は、本実施の形態にかかる配車処理における手順の例を示すフローチャートである。
【図７】図７８は、本実施の形態にかかる代行業者ＤＢ中の車両管理テーブルの例を示す図である。
【図８】図８は、本実施の形態における車両管理テーブルの更新処理の例を示すフローチャートである。
【図９】図９は、本実施の形態における検索処理の例を示すフローチャートである。
【図１０】図１０は、本実施の形態における運行業者のコンピュータに表示される閲覧画面の例を示す図である。
【図１１】図１１は、本実施の形態における運行業者のコンピュータに表示される閲覧画面の例を示す図である。
【符号の説明】
１２    予約管理サーバ
１４    インターネット
１６    携帯端末
２０    コンピュータ
２２    コンピュータ
２４    通信Ｉ／Ｆ
２６    登録処理部
２８    空車／配車管理部
３０    発注処理部
３２    顧客ＤＢ
３４    業者ＤＢ
３６    地図／料金ＤＢ
【図１】
2004272833.tif 000003
【図２】
2004272833.tif 000004
【図３】
2004272833.tif 000005
【図４】
2004272833.tif 000006
【図５】
2004272833.tif 000007
【図６】
2004272833.tif 000008
【図７】
2004272833.tif 000009
【図８】
2004272833.tif 000010
【図９】
2004272833.tif 000011
【図１０】
2004272833.tif 000012
【図１１】
2004272833.tif 000013